(57)【要約】【課題】光が透過可能なパネルを備えるケースにおいて、外部から見られた内部の照明状態が適切になるように調整する照明制御装置を提供する。【解決手段】出射した光によりケースの内部を照射することが可能な照明光源と、前記照明光源から出射した光が透過可能なパネルと、を備え、物品を内部に陳列することが可能なケースのための照明光源制御装置であって、前記パネル越しに前記ケースの内部が見られたときの前記ケースの内部の色が第１の所定の色に近づくように、又は、前記パネル越しに前記照明光源が見られたときの前記照明光源の色が第２の色に近づくように、前記照明光源を調整する照明調整手段を備える。【選択図】図１
2019145249.tif 000002
【特許請求の範囲】
【請求項１】
出射した光によりケースの内部を照射することが可能な照明光源と、
前記照明光源から出射した光が透過可能なパネルと、
を備えたケースのための照明光源制御装置であって、
前記パネル越しに前記ケースの内部が見られたときの前記ケースの内部の色が第１の所定の色に近づくように、又は、前記パネル越しに前記照明光源が見られたときの前記照明光源の色が第２の色に近づくように、前記照明光源を調整する照明調整手段を備えることを特徴とする照明制御装置。
【請求項２】
請求項１に記載の証明制御装置であって、
前記ケースは、物品を内部に陳列することが可能であることを特徴とする証明制御装置。
【請求項３】
請求項１又は２に記載の照明制御装置であって、
前記第１の所定の色とは、前記パネル越しでなく前記ケースの内部が見られたときの前記ケースの内部の色であることを特徴とする照明制御装置。
【請求項４】
請求項１乃至３の何れか１項に記載の照明制御装置であって、
前記第２の所定の色とは、前記パネル越しでなく前記照明光源が見られたときの前記照明光源の色であることを特徴とする照明制御装置。
【請求項５】
請求項１乃至４の何れか１項に記載の照明制御装置であって、
前記ケースは、開閉可能な扉を備え、
前記パネルは、前記扉に備わることを特徴とする照明制御装置。
【請求項６】
請求項５に記載の照明制御装置であって、
前記照明調整手段は、前記扉が開かれた状態において前記パネル越しでなく見られたことができた前記ケースの内部の色が、前記扉が閉じた状態において前記パネル越しに見られることができた前記ケースの内部の色に近づくように、又は、前記扉が開かれた状態において前記パネル越しでなく見られることができた前記照明光源の色が、前記扉が閉じた状態において前記パネル越しに見られることができた前記照明光源の色に近づくように、前記照明光源を調整することを特徴とする照明制御装置。
【請求項７】
請求項１乃至６の何れか１項に記載の照明制御装置であって、
前記照明調整手段は、色が近づくような調整に追加して、又は、それの代わりに、強度が近づくような調整をすることを特徴とする照明制御装置。
【請求項８】
請求項１乃至７の何れか１項に記載の照明制御装置であって、
前記パネルは、画像データに基づいた画像を表示することが可能なものであることを特徴とする照明制御装置。
【請求項９】
照明光源により照らされる物体が光が透過可能なパネルを通して見られたときの色が、前記照明光源により照らされる前記物体が前記パネルを通さないで見られたときの色に近づくように前記照明光源を調整する照明調整装置。
【請求項１０】
請求項９に記載の照明調整装置であって、
更に、照明光源により照らされる物体が光が透過可能なパネルを通して見られたときの明るさが、前記照明光源により照らされる前記物体が前記パネルを通さないで見られたときの明るさに近づくように前記照明光源を調整する照明調整装置。
【請求項１１】
請求項１乃至１０の何れか１項に記載の照明制御装置を備えることを特徴とするケース。
【請求項１２】
出射した光によりケースの内部を照射することが可能な照明光源と、
前記照明光源から出射した光が透過可能なパネルと、
を備えたケースのための照明光源制御方法であって、
前記パネル越しに前記ケースの内部が見られたときの前記ケースの内部の色が第１の所定の色に近づくように、又は、前記パネル越しに前記照明光源が見られたときの前記照明光源の色が第２の色に近づくように、前記照明光源を調整する照明調整工程を有することを特徴とする照明制御方法。
【請求項１３】
請求項１２に記載の照明制御方法であって、
前記ケースは、物品を内部に陳列することが可能であることを特徴とする照明制御方法。
【請求項１４】
照明光源により照らされる物体が光が透過可能なパネルを通して見られたときの色が、前記照明光源により照らされる前記物体が前記パネルを通さないで見られたときの色に近づくように前記照明光源を調整する照明調整方法。
【請求項１５】
請求項１４に記載の照明調整方法であって、
更に、照明光源により照らされる物体が光が透過可能なパネルを通して見られたときの明るさが、前記照明光源により照らされる前記物体が前記パネルを通さないで見られたときの明るさに近づくように前記照明光源を調整する照明調整方法。
【請求項１６】
請求項１乃至１０の何れか１項に記載の照明制御装置としてコンピュータを機能させることを特徴とするプログラム。
【発明の詳細な説明】
【技術分野】
【０００１】
本発明は、照明制御装置、ショーケース及び照明制御方法に関する。
【背景技術】
【０００２】
スーパーマーケットなどあるリーチイン冷凍冷蔵ショーケースの中には、図１に示すように、透明なショーケース扉９０１に透明液晶ディスプレイ９０３が取り付けられているものがある。このようなショーケースにおいては、ショーケースの内部に備わるＬＥＤ等の光源９０５から出射した光が、画像信号により駆動された透明液晶ディスプレイを透過することにより画像が表示される。
【先行技術文献】
【特許文献】
【０００３】
【特許文献１】特開２０１５−７０８７７号公報
【発明の概要】
【発明が解決しようとする課題】
【０００４】
内部の陳列物９０７を画像により遮られることなく外部から見られるようにするために、透明液晶ディスプレイを透過モードにした場合、多くの割合の光が透明液晶ディスプレイを透過するが、ガラスや液晶パネルの分光透過率特性によって透明液晶ディスプレイを透過した光には色が付き、また、明るさも不十分になる。これにより、内部の陳列物は、お客様からは、色の付いたフィルム越しに見られるような状況になってしまう。このような状況になると、内部の陳列物が生鮮食品や花などであった場合、売上げにも影響してしまう可能性がある。
【０００５】
透過色を白色に近づけるために透過モードにおける色を調整すると、透過光が暗くなってしまい、これが別の問題となる。これを解決するために、光源の輝度を上げると、消費電力が増加してしまう。また、電源容量の増大、熱の発生、光源数の増加といった課題も生じる。
【０００６】
また、扉を閉めた状態において外部から透明液晶ディスプレイ越しに見られた内部の色は、扉を開いた状態において外部から直接見られた場合の内部の色と異なってしまう。特に、扉を閉めたディスプレイと扉を開けたディスプレイを並べるとこれが顕著に見られてしまう。
【０００７】
なお、特許文献１には、透明ディスプレイが設けられたガラスドアの開閉に応じて、照明の明るさを変更する技術が開示されている。具体的には、ガラスドアが閉じられている場合は明るく、開いている場合は暗くすることが開示されている。
【０００８】
上記の課題は、透明液晶ディスプレイの代わりに光が透過可能なパネルを用いた場合にも発生する。
【０００９】
そこで、本発明は、光が透過可能なパネルを備えるケースにおいて、外部から見られた内部の照明状態が適切になるように調整する照明制御装置、それを備えるケース及び照明制御方法を提供することを目的とする。
【課題を解決するための手段】
【００１０】
本発明によれば、
出射した光によりケースの内部を照射することが可能な照明光源と、
前記照明光源から出射した光が透過可能なパネルと、
を備え、物品を内部に陳列することが可能なケースのための照明光源制御装置であって、
前記パネル越しに前記ケースの内部が見られたときの前記ケースの内部の色が第１の所定の色に近づくように、又は、前記パネル越しに前記照明光源が見られたときの前記照明光源の色が第２の色に近づくように、前記照明光源を調整する照明調整手段を備えることを特徴とする照明制御装置が提供される。
【００１１】
また、本発明によれば、照明光源により照らされる物体が光が透過可能なパネルを通して見られたときの色が、前記照明光源により照らされる前記物体が前記パネルを通さないで見られたときの色に近づくように前記照明光源を調整する照明調整装置が提供される。
【００１２】
更に、本発明によれば、上記の照明制御装置を備えることを特徴とするケースが提供される。
【００１３】
更に、本発明によれば、
出射した光によりケースの内部を照射することが可能な照明光源と、
前記照明光源から出射した光が透過可能なパネルと、
を備え、物品を内部に陳列することが可能なケースのための照明光源制御方法であって、
前記パネル越しに前記ケースの内部が見られたときの前記ケースの内部の色が第１の所定の色に近づくように、又は、前記パネル越しに前記照明光源が見られたときの前記照明光源の色が第２の色に近づくように、前記照明光源を調整する照明調整工程を有することを特徴とする照明制御方法が提供される。
【００１４】
更に、本発明によれば、照明光源により照らされる物体が光が透過可能なパネルを通して見られたときの色が、前記照明光源により照らされる前記物体が前記パネルを通さないで見られたときの色に近づくように前記照明光源を調整する照明調整方法が提供される。
【００１５】
更に、本発明によれば、上記の照明制御装置としてコンピュータを機能させることを特徴とするプログラムが提供される。
【発明の効果】
【００１６】
本発明によれば、光が透過可能なパネルを備えるケースにおいて、外部から見られた内部の照明状態が適切になるように調整できる。
【図面の簡単な説明】
【００１７】
【図１】本発明を適用可能なショーケースを示す図である。
【図２】透明液晶ディスプレイを透過モードにしても、ＸＹＺ表色系において、６０００Ｋの黒体放射ラインの近くの略白の照明の色が、透明液晶ディスプレイを通ると５５００Ｋの黄ばんだ色黒体放射のラインから外れたに変化してしまうことを示す図である。
【図３】本発明の実施の形態において、照明の色を１１００Ｋの青ばんだ色に設定しておき、このような照明の色が透過モードの透明液晶ディスプレイを通ると６０００Ｋの黒体放射ラインの近くの略白の照明の色に変化するようにすることを示す図である。
【図４】本発明の実施の形態による照明調整装置の構成を示す機能ブロック図である。
【図５】本発明の実施の形態におけるＬＥＤパッケージ列の例を示す図である。
【図６】本発明の実施の形態におけるＬＥＤパッケージ列の例を示す他の図である。
【発明を実施するための形態】
【００１８】
以下、図面を参照して本発明を実施するための形態について詳細に説明する。
【００１９】
［第１の実施の形態］
従来例においては、図２に示すように、透明液晶ディスプレイを透過モードにしても、ＸＹＺ表色系において、点２０１で示しているような６０００Ｋの黒体放射ラインの近くの略白の照明の色が、透明液晶ディスプレイを通ると点２０３で示しているような黒体放射から外れた黄ばんだ色に変化してしまう。
【００２０】
本実施形態では、図３に示すように、照明の色を２０５で示すような青ばんだ色に設定しておき、このような照明の色が透過モードの透明液晶ディスプレイを通ると点２０１と同一又はその近くの点２０７で示しているような６０００Ｋの黒体放射ラインの近くの略白の照明の色に変化するようにする。
【００２１】
こうすることにより、透明液晶ディスプレイ越しに外部から見られる陳列物の色を、透明液晶ディスプレイを通さないで外部から見られる陳列物の色と同一又は近似の色にすることができる。また、透明液晶ディスプレイ越しに外部から見られる照明の色を、透明液晶ディスプレイを通さないで外部から見られる照明の色と同一又は近似の色にすることができる。
【００２２】
調整の方法としては、点２０１の位置を記憶しておき、点２０７の位置が点２０１の位置に対して同一又は近似となるように点２０５の位置を調整するような方法を用いて照明の色を調整しておき、そのための設定を記憶しておく。
【００２３】
［第２の実施の形態］
第２の実施の形態は、照度の調整に関するものである。第１の実施の形態による色の調整に追加して第２の実施の形態による照度の調整を追加してよい。また、色の調整が不要である場合には、第２の実施の形態を単独で実施してもよい。
【００２４】
従来例においては、透明液晶ディスプレイは、透過モードでも透過度が１００％未満の所定値しか示さないので、外部の所定の位置で計測する照明の照度が、透過モードの透明液晶ディスプレイを通ると低下してしまう。
【００２５】
本実施形態では、照明の照度を予め高く設定しておき、このような照明の照度が透過モードの透明液晶ディスプレイを通ると透明液晶ディスプレイを通さない場合の照度に対して同一になり又は近似するようにする。
【００２６】
こうすることにより、透明液晶ディスプレイ越しに外部から見られる陳列物の明るさを、透明液晶ディスプレイを通さないで外部から見られる陳列物の明るさと同一又は近似の明るさにすることができる。また、透明液晶ディスプレイ越しに外部から見られる照明の明るさを、透明液晶ディスプレイを通さないで外部から見られる照明の明るさと同一又は近似の明るさにすることができる。
【００２７】
調整の方法としては、透明液晶ディスプレイを通さない場合に外部の所定の位置で計測する照明の照度を記憶しておいてから、透明液晶ディスプレイを通した場合に、同一の位置で計測する照明の照度がそれと同一になり又は近似するように照明の照度を調整しておき、そのための設定を記憶しておく。
【００２８】
［第３の実施の形態］
第３の実施の形態は、扉の開閉に応じて、照明の色を調整するものである。
【００２９】
扉が開いている状態においては、図３において点２０１で示される位置にある色で光源を発光させ、扉がしまっている状態においては、図３において点２０５で示される色で光源を発光させる。
【００３０】
こうすることにより、扉が開いている状態においてショーケースの外部から見られた光源の色も、扉が閉じている状態においてショーケースの外部から見られた光源の色も、点２０１で示される位置にある色又はそれに近い色となる。
【００３１】
また、扉が開いている状態においてショーケースの外部から見られた陳列物の色と、扉が閉じている状態においてショーケースの外部から見られた陳列物の色は同一又は略同一となる。
【００３２】
従って、お客様から見られた場合、ショーケースの開閉に伴い、照明の色が変化してしまうことも、ショーケース内の陳列物の色が変化してしまうことも避けることができる。
【００３３】
［第４の実施の形態］
第４の実施の形態は、扉の開閉に応じて、照明の照度を調整するものである。第３の実施の形態による色の調整に追加して第４の実施の形態による照度の調整を追加してよい。また、色の調整が不要である場合には、第４の実施の形態を単独で実施してもよい。
【００３４】
第４の実施の形態においては、扉が閉まっている状態においては、第２の実施の形態による照明の照度の調整をするが、扉が開いている状態においては、このような調整をしない。
【００３５】
こうすることにより、扉が開いている状態においてショーケースの外部から見られた光源の明るさは、扉が閉じている状態においてショーケースの外部から見られた光源の明るさと、同一になり、又は、近似する。
【００３６】
また、扉が開いている状態においてショーケースの外部から見られた陳列物の明るさと、扉が閉じている状態においてショーケースの外部から見られた陳列物の明るさ同一となり、又は、近似する。
【００３７】
従って、お客様から見られた場合、ショーケースの開閉に伴い、照明の明るさが変化してしまうことと、ショーケース内の陳列物の明るさが変化してしまうことを避けることができ、又は、軽減させることができる。
【００３８】
特に、透過モードにある透明液晶ディスプレイの透過度が低い場合、それに合わせて、扉が閉まっている状態にあるときの照明の照度を高くしているので、このような調整により扉を開けたときに照明の照度を下げることにより、扉を開けると内部が眩しいという事態を避けることができる。
【００３９】
［第４の実施の形態］
図４は、第４の実施の形態による照明調整装置を示す機能ブロック図である。
【００４０】
図４を参照すると、照明調整装置３０１は、測定部３１１、開閉検出部３１３、設定部３１５、設定記憶部３１７、調整部３１９を含む。
【００４１】
測定部３１１は、ショーケースの外部に配置され、ショーケースの内部にある照明光源３３３から出射する光を測定する。
【００４２】
開閉検出部３１３は、透明液晶ディスプレイ３３７が取り付けられている扉３３５の開閉状態を検出する。
【００４３】
設定部３１５は、扉が開いていて、照明光源３３３から出射した光が直接的に測定部３１１に入射するときと、扉が閉まっていて、照明光源から出射した光が透明液晶ディスプレイ３３７を介して測定部３１１に入射するときの光に基づいて、両方の状態における照明光源３３３の光の色と強度を決定し、そのような光に対応する照明光源駆動部３３１に対する設定を設定記憶部３１７に書き込む。
【００４４】
調整部３１９は、扉の開閉状態に対応した設定を設定記憶部３１７から読み出して、照明光源駆動部３３１に設定する。
【００４５】
［第５の実施の形態］
図５は、色を調整するためのＬＥＤパッケージ列の構成例を示す。
【００４６】
図５（ａ）に示すＬＥＤパッケージ列に含まれる各ＬＥＤパッケージは、通常のものである。このＬＥＤパッケージは、青色ＬＥＤ素子に黄色のＬＥＤを塗布したパッケージ、青色の蛍光体に緑と赤の蛍光体を塗布することにより白色を出せるようにしたものである。
【００４７】
図５（ｂ）に示すＬＥＤパッケージ列は、各ＬＥＤパッケージにおいて、蛍光体の塗布量を調整して、発光色を変えたものである。
【００４８】
図５（ｃ）に示すＬＥＤパッケージ列に含まれる各ＬＥＤパッケージは、１つのパッケージにＲＧＢのＬＥＤ素子があるものであるが、それぞれの色のＬＥＤ素子に流す電流を調整して、発光色を変えることができる。
【００４９】
図５（ｄ）に示すＬＥＤパッケージ列は、ＲＧＢのＬＥＤパッケージがＲＧＢを１単位として周期的に並ぶものであるが、それぞれの色のＬＥＤに流す電流を調整して、発光色を変えることができる。
【００５０】
図５（ｅ）に示すＬＥＤは、ＲＧＢのＬＥＤパッケージがＲＧＢＢを１単位として周期的並ぶものである。この例では、Ｂを増やすことにより色を変えている。
【００５１】
例えば、扉を開けているときに図５（ａ）のＬＥＤパッケージ列が発光するようにして、扉を閉めているときに図５（ｂ）のＬＥＤパッケージ列が発光するようにする。
【００５２】
また、図５（ｃ）のＬＥＤパッケージ列を用いて、扉を開けているときと扉を閉めているときの電流をそれぞれ調整する。
【００５３】
更に、図５（ｄ）のＬＥＤパッケージ列を用いて、扉を開けているときと扉を閉めているときの電流をそれぞれ調整する。
【００５４】
更に、図５（ｄ）のＬＥＤパッケージ列を用いて、電流を流すか流さないかを調整することにより、開けているときには、Ｒ：Ｇ：Ｂ＝１００：１００：１００＝１：１：１、扉を閉めているときには、Ｒ：Ｇ：Ｂ＝７５：５０：１００＝３：２：４にするためには、Ｒ×４＋Ｇ×４＋Ｂ×４で合計１２個のＬＥＤパッケージを１単位とする。Ｒ：Ｇ：Ｂ＝１：１：１のためには、ＲとＧとＢの発光数を同じにする。Ｒ：Ｇ：Ｂ＝３：２：４のためには、Ｒを３個、Ｇを２個、Ｂを１個発光させる。電流を流すときの電流量を扉を開けているときと閉めているとのそれぞれで調整することができる。
【００５５】
更に、図５（ｅ）のＬＥＤパッケージ列を用いて、電流を流すか流さないかを調整することにより、扉を開けているときには、Ｒ：Ｇ：Ｂ＝１００：１００：１００＝１：１：１、扉を閉めているときには、Ｒ：Ｇ：Ｂ＝１００：１００：１５０＝１：１：２にするためには、Ｒ×１＋Ｇ×１＋Ｂ×２で合計４個のＬＥＤパッケージを１単位とする。Ｒ：Ｇ：Ｂ＝１：１：１のためには、ＲとＧとＢの発光数を１に揃える。Ｒ：Ｇ：Ｂ＝１：１：２のためには、Ｒを１個、Ｇを１個、Ｂを２個発光させる。電流を流すときの電流量を扉を開けているときと閉めているとのそれぞれで調整することができる。
【００５６】
例：  図５（ｄ）の出力が、  赤出力７５％、緑５０％    青１００％で目標の色になった場合
Ｒ：Ｇ：Ｂ  ＝  ３：２：４  の割合でＬＥＤの数を調整する。
【００５７】
これと同じパワーを上記図５（ｄ）のＬＥＤ配列で実施しようとすると、Ｒ：Ｇ：Ｂ  ＝  ４：４：４  （１：１：１）  の割合で配置し、ＲとＧの出力を弱める事で色調整する。つまり、図５（ｄ）の配列だと１２個のＬＥＤになる。これに対して、図５（e）の配列だと９個のＬＥＤで同じ出力が可能になる。つまり、図５（ｄ）の例では、４つのＲが７５％のパワーを出力し、４つのＧが５０％のパワーを出力し、４つのＢが１００％の出力をすれば、Ｒ：Ｇ：Ｂ＝３：２：４の出力比が得られる。これに対して、図５（ｅ）の例では、３つのＲ、２つのＧ及び４つのＢがそれぞれ１００％の出力をすれば、Ｒ：Ｇ：Ｂ＝３：２：４の出力比が得られる。
【００５８】
［第６の実施の形態］
図６は、色を調整するための他のＬＥＤの構成例を示す。
【００５９】
図６（ａ）は、通常用ＬＥＤパッケージ列と補正用ＬＥＤパッケージ列を含むものであり、補正をしない場合には、通常用ＬＥＤパッケージ列のみを発光させ、補正をする場合には、補正用ＬＥＤパッケージ列のみを発光させる。又は、補正をしない場合には、通常用ＬＥＤパッケージ列のみを発光させ、補正をする場合には、通常用ＬＥＤパッケージ列と補正用ＬＥＤパッケージ列を発光させる。
【００６０】
図６（ｂ）は、通常用ＬＥＤパッケージ列と補正用ＬＥＤパッケージ列を同一列に交互に並べたものである。
【００６１】
図６（ｃ）は、ショーケースにおけるＬＥＤパッケージ列の配置を示すものである。
【００６２】
図６（ａ）、（ｂ）の例では、通常用ＬＥＤパッケージ列と補正用ＬＥＤパッケージ列の２種類のＬＥＤパッケージ列を用いるが、３種類以上のＬＥＤパッケージ列を用いてもよい。例えば、通常時にＬＥＤパッケージ列＃１とＬＥＤパッケージ列＃２を発光させ、補正時にＬＥＤパッケージ列＃１とＬＥＤパッケージ列＃３を発光させてもよい。
【００６３】
ＬＥＤを基板に搭載する際、（a）の場合１枚の基板にＬＥＤを配列して搭載しても良いし、２枚の基板に分けて搭載しても良い（２本の照明としてもよい。）
［第７の実施の形態］
上記の実施の形態においては、陳列物を陳列するためのショーケースを例を挙げたが、他の装置にも上記の実施の形態による照明調整方法又はこれを行うための照明調整装置を適用することができる。
【００６４】
例えば、透明液晶ディスプレイなどの透過可能なパネルを窓部に有する筐体内に設けた照明を調整することに利用することができる。
【００６５】
更には、筐体がない場合にも利用することができる。つまり、照明に照らされた物を人が透明液晶ディスプレイなどの透過可能なパネルを通して見る場合とそのようなパネルを通さないで見る場合がある構成にも利用することができる。
【００６６】
更には、照明に照らされた物がない場合にも利用することができる。つまり、照明を人が透明液晶ディスプレイなどの透過可能なパネルを通して見る場合とそのようなパネルを通さないで見る場合がある構成にも利用することができる。
【００６７】
なお、上記の証明調整装置は、ハードウェア、ソフトウェア又はこれらの組合わせにより実現することができる。また、上記の証明調整装置により行なわれる証明調整方法も、ハードウェア、ソフトウェア又はこれらに組合わせにより実現することができる。ここで、ソフトウェアによって実現されるとは、コンピュータがプログラムを読み込んで実行することにより実現されることを意味する。
【００６８】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００７０】
本発明は、透過可能なパネルを通す場合と通さない場合それぞれにおける照明の調整に利用することができる。
【符号の説明】
【００７１】
３０１  照明調整装置
３１１  測定部
３１３  開閉検出部
３１５  設定部
３１７  設定記憶部
３１９  調整部
【図１】
2019145249.tif 000003
【図２】
2019145249.tif 000004
【図３】
2019145249.tif 000005
【図４】
2019145249.tif 000006
【図５】
2019145249.tif 000007
【図６】
2019145249.tif 000008